(57)【要約】      （修正有）【課題】運搬や施工が容易であり、支保工が不要で、工期が短く、低コストで、軽量で大きな剛性、耐震性をもち、高い耐久性を備えた片持梁床板用型枠を提供する。【解決手段】片持梁床板用型枠１０６は橋桁１の平面部２と対向する背面部５の延長線６及び端縁部７とを被覆する硬性下部型枠体と、硬性下部型枠体が囲繞する空間部９内に並列に配列された複数本の主支持部材１０とから構成されており、主支持部材１０は略垂直に形成された壁部１１と、壁部１１の下端縁部から壁部１１に対して略直角に折り曲げられた固定基板部１２とを有し、固定基板部１２の少なくとも一部に橋桁１の平面部２に設けられた係合部材１２３と係合しうる係合固定手段１４が配置されているとともに、主支持部材１０の壁部１１の下端縁部の少なくとも一部に複数個の開口部１５が穿孔されており、更に壁部１１の一部と硬性下部型枠体の一部が吊金具１６を介して接続固定されている。【選択図】図２
2010285811.tif 000002
【特許請求の範囲】
【請求項１】
橋桁と床板構造体で構成される橋梁により形成される通路の幅方向に於ける、少なくとも一方の端部に形成される、片持梁構造を有する床板構造体に使用される片持梁床板用型枠であって、当該片持梁床板用型枠は、当該橋桁の脚部の上端部に形成されている、当該脚部の長軸と略直交する面に形成された上部平面部を有し且つ当該床板構造体を支持する機能を持った支持頭部の少なくとも一方の当該通路幅方向端部から外部方向に延展されており、当該橋桁部の当該平面部と対向する背面部の仮想延長線及びその端縁部とを被覆する様に設定された硬性下部型枠体、当該橋桁部の当該平面部の少なくとも一部と接触し、且つ当該硬性下部型枠体部が囲繞する空間部内に延展せしめられている互いに並列的に配列された複数本の長尺状の主支持部材とから構成されており、当該主支持部材は、当該橋桁部の当該平面部に対して略垂直状に形成された壁部と当該壁部の下端縁部から当該壁部に対して略直角に折り曲げられた固定基板部とを有し、当該固定基板部の橋桁部の当該平面部と対向する第１の固定基板部の少なくとも一部に当該橋桁部の当該平面部に設けられた係合部材と係合固定しうる係合固定手段が配置されていると同時に、当該主支持部材に於ける、当該硬性下部型枠体部により形成されている当該空間部内に存在する当該壁部の下端縁部の少なくとも一部に複数個の開口部が穿孔されており、更に、当該空間部内に存在する当該壁部の少なくとも一部の部位と当該硬性下部型枠体部の少なくとも一部の部位とが適宜の吊金具を介して接続固定されている事を特徴とする片持梁床板用型枠。
【請求項２】
当該第１の固定基板部は当該硬性下部型枠体部により形成されている当該空間部から外部に突出している事を特徴とする請求項１に記載の片持梁床板用型枠。
【請求項３】
少なくとも当該主支持部材の当該空間内部に存在している当該主支持部材は、コンクリート注入後の当該主支持部材の撓み発生量を考慮して当該橋桁部の当該平面部に対して上向きの角度付けが施されている事を特徴とする請求項１又は２記載の片持梁床板用型枠。
【請求項４】
当該第１の固定基板部の少なくとも一部と当該硬性下部型枠体部の少なくとも一部とが、適宜の撓み防止金具により連結され固定されている事を特徴とする請求項１乃至３の何れかに記載の片持梁床板用型枠。
【請求項５】
当該主支持部材における当該壁部の上端縁部には、当該壁部の側部平面に対して所定の角度を有して形成された庇部が設けられている事を特徴とする請求項１乃至４の何れかに記載の片持梁床板用型枠。
【請求項６】
当該橋桁部の当該平面部に設けられている当該係合部材は、当該平面部に埋め込まれたアンカーボルトである事を特徴とする請求項１乃至５の何れかに記載の片持梁床板用型枠。
【請求項７】
当該主支持部材の当該第１の固定基板部に設けられている当該係合固定手段は、当該アンカーボルトを通過させる孔部及び当該アンカーボルトに螺合するナットで構成されている事を特徴とする請求項６に記載の片持梁床板用型枠。
【請求項８】
当該片持梁床板用型枠に於ける当該複数本配列されている当該主支持部材の上面或は下面及び当該主支持部材間に複数本の鉄筋が配置されている事を特徴とする請求項１乃至７の何れかに記載の片持梁床板用型枠。
【請求項９】
当該第１の固定基板部の長さは、当該橋桁に於ける当該支持頭部の一方の端部から、当該橋桁の中心点を越えて他方の端部側に延展される長さである事を特徴とする請求項１乃至８の何れかに記載の片持梁床板用型枠。
【請求項１０】
当該複数本の主支持部材を含む当該片持梁床板用型枠は、当該通路の長さ方向に沿って設定された予め定められた長さを持つブロックとして形成されている事を特徴とする請求項１乃至９の何れかに記載の片持梁床板用型枠。
【請求項１１】
当該通路の長手方向に沿って、当該片持梁床板用型枠用ブロックが複数個連続して隣接配置されている事を特徴とする請求項１０に記載の片持梁床板用型枠。
【請求項１２】
当該片持梁床板用型枠の当該通路の幅方向の最外部に設けられている当該硬性下部型枠体部の上部縁部に接合して、当該橋桁部の当該平面部に対して略垂直方向に立設された擁壁部が設けられており、当該擁壁部は、その一部と当該主支持部材の少なくとも一部との間に接続されている適宜の擁壁支持部材により固定保持されている事を特徴とする請求項１乃至１１の何れかに記載の片持梁床板用型枠。
【請求項１３】
当該硬性下部型枠体部の当該端縁部の上部縁部と当該擁壁部とは、リベットにより接合固定されている事を特徴とする請求項１２に記載の片持梁床板用型枠。
【請求項１４】
請求項１乃至１３の何れかに記載された当該片持梁床板用型枠にコンクリートが注入されて構成された片持梁床板構造体。
【発明の詳細な説明】
【技術分野】
【０００１】
本発明は、橋桁及び床版構造体とで構成される橋梁に於ける片持梁構造部に使用される片持梁床板用型枠床版用型枠であり、更には当該片持梁床板用型枠を使用下片持梁式合成床板構造体に関するものである。
【背景技術】
【０００２】
近年に於いては、一般に道路、鉄道或いは歩道等の通路で使用される、道路上、河川上或は谷間部等に於いて使用される橋梁として、コンクリート製の橋桁と当該橋桁間に張設される合成床板とから構成される構造が一般的となって来ている。
【０００３】
ここで、一般の床版は、合板ベニアを支保工という仮設材で支えながら型枠とし、その内側に鉄筋を組み立てた後、コンクリートを注入して乾燥養生後に型枠材を解体して完成させる施工方法が最も多く、その他に合成型床板といわれているものが存在する。
【０００４】
合成型床板とはプレハブ型床板構造体の一種であって鋼製型枠材料に厚板鉄鈑を用いてコンクリートと合成させて構成されたものである。
【０００５】
図１０を参照しながら、従来の床板の構成とその施工方法の概略について説明する。
【０００６】
即ち、図１０から理解される様に、従来の床板は、上側鉄筋４１と下側鉄筋４２を上下に平行に配置するとともに、これと直交する方向に複数本の配力筋４３、４４を挿入し且鉄筋の配列方向に垂直な方向に支持鋼線を配備しそれらの交点を全て溶接或いは金属線を使用して結束して立体的構成体を形成し、これにコンクリートを注入して床板構成体を形成するものであるが、係る操作を当該複数本の橋桁間で実行する事になるため、図１０示すとおり、各橋桁間及び端部橋桁に近接して作業員の作業台となる支保工を設置する必要があり、当該床板にコンクリートが注入され、当該コンクリートが硬化した後に当該支保工を解体する作業も必要である。
【０００７】
係る従来の方法では、コストが掛かると同時に、工期も長くなるので経済的負担が大きく、更には当該支保工を解体する作業での人身事故も多く、改善が必要とされていた。上記した従来の問題点を解決する方法として、図１１に例示する様な、合成床板が開発された。
【０００８】
係る合成床板は、例えば、特開２００７−１６９９３１号公報（特許文献１）に開示されている通り、具体的には、図１１に示す様に、上下鉄筋４６、４７と配力筋５０とを交差上に立体的に配置し、当該上下鉄筋４６、４７を適宜の圧着金具５１で相互に固定すると共に、当該圧着金具５１を適宜の連結具４９を介して、金属製或いはプラスチック製の下側型枠板５５の底面部に固着させたものであって、係る構造を有する当該合成床板を工場内で製作し、施工現場に搬入して橋桁間に張設した後、当該合成床板内にコンクリートを注入する様に構成したものであって、工期は短縮され、支保工５３の架設及び解体工事が不要となるのでコストが低減でき、危険性も大幅に改善されてきた。
【０００９】
然しながら、図１２に示す様に、当該橋梁により提供される通路部の両端部では、当該通路の幅方向に配列されている複数個の橋桁の内、最も外側にある橋桁或いは橋桁が一本しかない細い通路にあっては、当該橋桁の両側に、片持梁構造を持つ床板構造体が必然的に形成されるので、当該部分での作業に際しては、依然として支保工５３を使用する必要があり、上記した問題点が依然として残っている。
【先行技術文献】
【特許文献】
【００１０】
【特許文献１】特開２００７−１６９９３１号公報
【発明の概要】
【発明が解決しようとする課題】
【００１１】
従って本発明の目的は、上記した従来技術の欠陥を改良し、橋梁により提供される通路部分の両端部を構成する片持梁構造を有する床板構造体を形成するために使用される片持梁床板用型枠として、運搬や施工作業が容易で、支保工の架設及び解体作業が不要で、工期は短く、製作及び施工コストが低くて、しかも軽量で大きな剛性、耐震性をもっており、さらに高い耐久性を備えた片持梁床板用型枠を提供すると共に、同様の作用効果を発揮する片持梁構造を有する床板構造体を提供するものである。
【課題を解決するための手段】
【００１２】
本発明は、上記した目的を達成するため、以下に記載されたような、基本的な技術構成を採用するものである。
【００１３】
即ち、本発明に於ける第１の態様としては、橋桁と床板構造体で構成される橋梁により形成される通路の幅方向に於ける、少なくとも一方の端部に形成される、片持梁構造を有する床板構造体に使用される片持梁床板用型枠であって、当該片持梁床板用型枠は、当該橋桁の脚部の上端部に形成されている、当該脚部の長軸と略直交する面に形成された上部平面部を有し且つ当該床板構造体を支持する機能を持った支持頭部の少なくとも一方の当該通路幅方向端部から外部方向に延展されており、当該橋桁部の当該平面部と対向する背面部の仮想延長線及びその端縁部とを被覆する様に設定された硬性下部型枠体、当該橋桁部の当該平面部の少なくとも一部と接触し、且つ当該硬性下部型枠体部が囲繞する空間部内に延展せしめられている互いに並列的に配列された複数本の長尺状の主支持部材とから構成されており、当該主支持部材は、当該橋桁部の当該平面部に対して略垂直状に形成された壁部と当該壁部の下端縁部から当該壁部に対して略直角に折り曲げられた固定基板部とを有し、当該固定基板部の橋桁部の当該平面部と対向する第１の固定基板部の少なくとも一部に当該橋桁部の当該平面部に設けられた係合部材と係合固定しうる係合固定手段が配置されていると同時に、当該主支持部材に於ける、当該硬性下部型枠体部により形成されている当該空間部内に存在する当該壁部の下端縁部の少なくとも一部に複数個の開口部が穿孔されており、更に、当該空間部内に存在する当該壁部の少なくとも一部の部位と当該硬性下部型枠体部の少なくとも一部の部位とが適宜の吊金具を介して接続固定されている片持梁床板用型枠であり、又本発明に係る第２の態様としては、上記した構成を有する当該片持梁床板用型枠にコンクリートが注入されて構成された片持梁床版構造体である。
【発明の効果】
【００１４】
本発明に於ける当該片持梁床板用型枠は、上記した様な技術構成を採用しているので、特に運搬や施工作業が容易で、工期は短く、製作及び施工コストが低くて、しかも軽量で大きな剛性、耐震性をもっており、さらに高い耐久性を備えた床板が容易に得られると共に、係る片持梁床板用型枠を使用した片持梁構造を有し、且つ上記と同様の作用効果を発揮できる床板構造体が容易に得られる。
【図面の簡単な説明】
【００１５】
【図１】図１は、本発明の片持梁床板用型枠の一具体例の構成を示す側面図である。
【図２】図２は、本発明の片持梁床板用型枠の一具体例の構成を示す斜視図である。
【図３】図３は、本発明の片持梁床板用型枠を使用した橋梁の一具体例の構成を示す断面である。
【図４】図４は、本発明の片持梁床板用型枠の一具体例の構成を示す平面図である。
【図５】図５は、ブロック化された本発明の片持梁床板用型枠を橋桁に搭載する場合の具体例を示す平面図である。
【図６】図６は、本発明の片持梁床板に於ける主支持部材の断面形状の一具体例の構造を示す断面図であり、又当該主支持部材と吊金具との接合状態の例を示す断面図である。
【図７】図７は、本発明の片持梁床板用型枠に擁壁が設けられる場合の一具体例の構造を示す断面図である。
【図８】図８は、本発明で使用される擁壁の例を示す側面図である。
【図９】図９は、本発明の主支持部材の構造の具体例を示す図である。
【図１０】図１０は、従来に於ける橋梁の建設工事方法の一具体例の構成を示す断面図である。
【図１１】図１１は、従来使用されている合成床板の一具体例の構成を説明する斜視図である。
【図１２】図１２は、従来に於ける支保工の架設状態の一具体例の構成を示す断面図である。
【発明を実施するための形態】
【００１６】
以下に本発明に係る片持梁床板用型枠床板用型枠及びそれを用いた片持梁床板構造体に関する具体例を、図面を参照しながら詳細に説明する。
【００１７】
即ち、図１は、本発明に係る当該床板用型枠５の構成の一例を示す側面図であり、又図２は、その斜視図である。
【００１８】
つまり、同図中、橋桁１と床板構造体１００で構成される橋梁１０２により形成される通路１０３の幅方向１０４に於ける、少なくとも一方の端部４に形成される、片持梁構造を有する床板構造体１００に使用される片持梁床板用型枠１０６であって、当該片持梁床板用型枠１０６は、当該橋桁１の脚部の上端部に形成されている、当該脚部１の長軸Ｐと略直交する面２に形成された上部平面部３を有し、且つ当該床板構造体１００を支持する機能を持った支持頭部３の少なくとも一方の当該通路幅方向端部４から外部方向に延展されており、当該橋桁１部の当該平面部２と対向する背面部５の仮想延長線６及びその端縁部７とを被覆する様に設定された硬性下部型枠体８と、当該橋桁部１の当該平面部２の少なくとも一部と接触し、且つ当該硬性下部型枠体部８が囲繞する空間部９内に延展せしめられている互いに並列的に配列された複数本の長尺状の主支持部材１０とから構成されており、当該主支持部材１０は、当該橋桁部１の当該平面部２に対して略垂直状に形成された壁部１１と当該壁部１１の下端縁部から当該壁部１１に対して略直角に折り曲げられた固定基板部１２とを有し、当該固定基板部１２の橋桁部１の当該平面部２と対向する第１の固定基板部１２２の少なくとも一部に当該橋桁部１の当該平面部２に設けられた係合部材１２３と係合固定しうる係合固定手段１４が配置されていると同時に、当該主支持部材１０に於ける、当該硬性下部型枠体部８により形成されている当該空間部９内に存在する当該壁部１１の下端縁部の少なくとも一部に複数個の開口部１５が穿孔されており、更に、当該空間部９内に存在する当該壁部１１の少なくとも一部の部位と当該硬性下部型枠体部６の少なくとも一部の部位とが適宜の吊金具１６を介して接続固定されている片持梁床板用型枠１０６が示されている。
【００１９】
本発明に於ける当該片持梁床板用型枠１０６の具体的な実施例としては、図３に示す様に、例えば、４本の橋桁１を適宜の間隔を介して隣接配置させ、当該隣接する橋桁１、１間に合成床板（ＰＣ床板とも言う）と称される床板構造体１００を張設して所定の幅を持つ通路部１０３からなる橋梁１０２が形成されており、且つ当該通路部１０３を構成する両端部にある橋梁の当該通路部１０３の幅方向外側部の双方に、当該片持梁床板用型枠１０６を内蔵して構成されたコンクリート内蔵の片持梁床板構造１０５が配置されているものである。
【００２０】
本具体例では、４本の橋桁１がそれぞれ中心軸Ｐ間距離を３．８ｍに設定されて隣接して配置され、その上に１４．４ｍの幅を持つ通路１０３が形成される例を示しており、各橋桁１の上端部には、床板構造体１０５を支持する支持部分２００を含めて１．３ｍの幅を有する支持頭部３が形成されている。
【００２１】
そして、相互に隣接している当該橋桁１の当該支持部分２００間には、適宜の構成を有する床板型枠或いは床板構成体１００がそれぞれ張設され、通路面を形成しており、さらには、当該隣接配置されている複数本の橋桁１の内の当該通路幅方向１０４で見た両端部に位置している橋桁１の外側部には、本発明に係る片持梁床板用型枠１０６が形成されている。
【００２２】
尚、本発明に於ける当該橋桁１の当該通路方向の長さは特に限定されるものではない。
【００２３】
次に、本発明に係る当該片持梁床板用型枠１０６の具体的な構成例を、図１乃至図３を参照しながら説明する。即ち、通路幅最端部に位置する当該橋桁１の、少なくとも一方の当該通路幅方向端部４から外部方向に延展されている当該片持梁床板用型枠１０６に於ける当該硬性下部型枠体８は、当該橋桁１部の当該平面部２と対向する背面部５の仮想延長線６及びその端縁部７とを被覆する様に設定された形状を有し、その当該橋桁１の当該支持頭部３の外側端部４との接触する部分は、適宜の屈折部２０３を有し、適宜の接合手段２０１、例えばボルトナット等により当該支持頭部３の外側端部５と接合されている。
【００２４】
又、当該硬性下部型枠体８の最外部７１には、略垂直方向に立設された側壁部７が設けられており、当該側壁部７の上縁部の高さは、当該片持梁床板用型枠１０６内にコンクリートが注入された際の上部表面高さと一致させておく事も望ましい。尚、本発明に於いて使用される当該片持梁床板用型枠１０６は、鉄、アルミニウム、ステンレス等を含む金属材料、鋼材料、エンプラと称される高機能樹脂、炭素繊維等を混入した高強力樹脂等を含む複合材、プラスチック材料及びセラミックス材料からなるグループから選択された少なくとも一つの材料で構成されているものである。又、本発明に於ける当該片持梁床板用型枠１０６の当該通路方向側の側面は、特定の部位で使用される場合を除き、別に構成される片持梁床板用型枠１０６との連結のため、開放されている。
【００２５】
更に、本発明に係る当該片持梁床板用型枠１０６の当該硬性下部型枠体８における底面部５５の傾斜形状も特に限定されるものではないが、当該片持梁床板用型枠１０６の通路幅方向の長さ及び当該橋桁１の当該支持頭部３の外側端部４の高さ、とを考慮して決定する事になる。更に当該硬性下部型枠体８に於ける当該底面部５５と側壁部７との間に適宜の段差部５６を設けることも可能である。
【００２６】
一方、本発明に係る当該片持梁床板用型枠１０６に使用される当該主支持部材１０は、当該橋桁部１の当該支持頭部３に形成された平面部２の少なくとも一部と接触し、且つ当該硬性下部型枠体部８が囲繞する空間部９内に延展せしめられている互いに並列的に配列されたものであって、当該複数本の長尺状の主支持部材１０のそれぞれは、鉄、アルミニウム、ステンレス等を含む金属材料、鋼材料、エンプラと称される高機能樹脂、炭素繊維等を混入した高強力樹脂等を含む複合材、プラスチック材料及びセラミックス材料からなるグループから選択された少なくとも一つの材料で構成されているものであって、少なくとも、当該主支持部材１０は、当該橋桁部１の当該支持頭部３に形成された当該平面部２に対して略垂直状に形成された壁部１１と当該壁部１１の下端縁部から当該壁部１１に対して略直角に折り曲げられた固定基板部１２とを有し、当該固定基板部１２の一部は、橋桁部１の当該平面部２と直接接触して当該平面部２に適宜の係合手段１２３を介して固定せしめられる様に構成されている。
【００２７】
本発明に於いては、当該主支持部材１０に於ける当該橋桁部１の当該平面部２と直接接触する部分を第１の固定基板部１２２と称している。そして、当該第１の固定基板部１２２の少なくとも一部に当該橋桁部１の当該平面部２に設けられた係合部材１２３、例えばアンカーボルトと係合固定しうる係合固定手段１４、例えばボルト挿通孔が配置されている。一方、当該主支持部材１０に於ける、当該第１の固定基板部１２２は、前記した硬性下部型枠体部８により形成されている当該空間部９よりも外部に配置されるものである。
【００２８】
一方、当該主支持部材１０の残りの部分は、上記したと同じ断面形状を有すると共に、当該硬性下部型枠体部８により形成されている当該空間部９内に配置されるものである。当該空間部９内に配置される当該主支持部材１０は、場合によっては、図９に示される様に当該固定基板部１２が少なくとも一部欠落したものであっても良い。又、本発明に於ける当該空間部９内に配置される当該主支持部材１０の当該壁部１１の下端縁部の少なくとも一部に複数個の開口部１５が穿孔されているものである。
【００２９】
係る開口部１５は、重量の軽減と同時に、コンクリートの注入時に於けるコンクリートの流動性を向上させる機能を有するものである。係る開口部１５の形状や設置個数は特に限定されるものではないが、当該主支持部材１０の使用本数、使用コンクリートの容量等を配慮して決定するものである。一方、図示の具体例では、当該固定基板部１２には５個の係合固定部１４が設けられており、それぞれの係合固定部１４は、予め当該平面部２に埋め込まれている５個のアンカーボルト１２３のそれぞれと係合する孔部１４で構成され、適宜のナット等によって当該アンカーボルト１２３と締め付け固定される様になっている。
【００３０】
一方、当該主支持部材１０の長さは特に限定されるものではないが、図示されている具体例では、当該主支持部材１０の長さは、１．５８３ｍに設定されており、且つ当該第１の固定基板部１２２の長さは、当該橋桁１に於ける当該支持頭部３の一方の端部４から、当該橋桁１の中心点Ｐを越えて他方の端部４’側に延展される長さである事を示している。
【００３１】
本発明に於ける当該主支持部材１０の構成は、図９（Ａ）に示す様に、当該主支持部材１０における当該壁部１１の上端縁部には、当該壁部１１の側部平面に対して所定の角度、例えば９０度、を有して形成された庇部１１１が更に設けられている事も好ましい具体例である。当該庇部１１１は、図９（Ｃ）に示す様に、上記した当該固定基板部１２と当該壁部１１の側壁面に対して同じ面の方向に延展されていてもよく、又図９（Ａ）に示す様に、当該壁部１１の側壁面に対して反対側の方向に延展されていてもよい。
【００３２】
更に、本発明に於ける当該主支持部材１０に於いては、少なくとも当該主支持部材１０の当該空間内部９に存在している当該主支持部材１０は、図９（Ｄ）及び（Ｅ）に示す様に、コンクリート注入後の当該主支持部材１０の撓み発生量を考慮して当該橋桁部１の当該平面部２に対して上向きの角度付けが施されている事が望ましい。
【００３３】
次に、本発明に係る当該片持梁床板用型枠１０６に於いては、当該空間部９内に存在する当該主支持部材１０に於ける当該壁部１１の少なくとも一部の部位と当該硬性下部型枠体部８の少なくとも一部の部位とが適宜の吊金具１６を介して相互に接続固定されているものである。即ち、図１乃至３及び図６に示す通り、当該吊金具１６の一方の端部が、当該壁部側面に配置された適宜の係合固定手段１６０と接合固定されると同時に当該吊金具１６の他方の端部が、直接的に或いは適宜の接合補助手段１６１を介して当該硬性下部型枠体８の底面部５５と適宜の接合装置１６２を介して接合固定されている。図示の具体例では、長さが相互に異なる５本の吊金具１６が使用されて当該主支持部材１０と当該硬性下部型枠体８の底面部５５とを接合固定している。上記具体例では、当該吊金具１６は、当該硬性下部型枠体８の先端部７から当該橋桁１に向けてその長さが当該硬性下部型枠体８の底面部５５の傾斜に応じて徐々に長くなるように設定されており、又当該吊金具１６の当該主支持部材１０からの垂下角度も徐々に大きくなるようにしても良い。
【００３４】
一方、本発明に係る当該片持梁床板用型枠１０６にあっては、更に当該第１の固定基板部１２２に含まれる当該壁部１１の少なくとも一部と当該硬性下部型枠体部８の底部５５の少なくとも一部とが、当該主支持部材１０に対して所定の角度を介して斜めに配置された適宜の撓み防止金具１７により連結され固定されている事も望ましい具体例である。係る構成を採用することによって、当該片持梁床板用型枠１０６の強度が著しく増大する。
【００３５】
本発明に於ける当該片持梁床板用型枠１０６内で使用される当該主支持部材１０の本数は特に限定されるものではなく、当該橋桁１の通路方向に沿って形成される長さに応じて適宜の数に設定する事が可能であるが、図示の具体例では、当該１つの片持梁床板用型枠１０６内では、９本の主支持部材１０が相互に並列状に配置されている。
【００３６】
又、本発明に於ける当該片持梁床板用型枠１０６内には、当該主支持部材１０の上面或は下面及び当該主支持部材１０間に複数本の鉄筋１０７が当該主支持部材１０の配置方向とは直交する方向には配力筋として配置されていても良く、更には、当該主支持部材１０の配置方向に対して垂直方向に配置された鉄筋からなる保持鋼材１０８が配置されているものであっても良い。
【００３７】
即ち、本発明に係る当該片持梁床板用型枠１０６は、当該橋梁１０２の施工現場で形成されるものではなく、当該施工現場とは別の工場にて形成されるものであり、当該複数本の主支持部材１０を含む当該片持梁床板用型枠１０６は、当該通路の長さ方向に沿って設定された予め定められた長さを持つブロック３００として形成されているものであり、図５に示す様に、所定の長さの当該橋桁１の通路方向長さに従って、複数個の当該ブロック３００が連続的に配列されて当該通路の片持式床版構造のための枠体を形成することになる。そして、最後に当該片持梁床板用型枠１０６が連続して配列されている片持式床版構造のための枠体内にコンクリートを注入して片持梁構造を有する床板構造体が完成する。
【００３８】
次に、本発明に於ける別の具体例としては、図７及び図８に示す様に、当該片持梁床板用型枠１０６の当該通路１０３の幅方向の最外部７１に設けられている当該硬性下部型枠体部８の上部縁部８１に接合して、当該橋桁部１の当該平面部２に対して略垂直方向に立設された擁壁部４００が設けられており、当該擁壁部４００は、その一部と当該主支持部材１０の少なくとも一部との間に接続されている適宜の擁壁支持部材４０１により固定保持されているものである。本具体例に於いては、図７（Ｂ）に示す様に、当該硬性下部型枠体部８の当該端縁部７１の上部縁部８１と当該擁壁部４００とは、適宜形状に屈曲させて、適宜の接合手段４０２で接合固定されているものである。当該接合手段４０２としては、溶接方法、或いは適宜のリベットにより接合方法等によって固定されているものである。当該擁壁の高さは、例えば１ｍで、長さは、例えば２．２５ｍが一般的である。
【００３９】
本発明に於いては、上記した構成を有する片持梁床板用型枠１０６を図１乃至図５に示す様に、当該橋桁１に搭載した後、当該片持梁床板用型枠１０６内部にコンクリートを注入することによって完成された片持梁床板構造体が容易に且つ短期間の工期で然も低価格で得られる。
【００４０】
本発明に於いては、上記した当該片持梁床板用型枠１０６を工事現場とは別の所定の工場で、それぞれ所定の大きさ、長さ、幅、厚みを予め異にする複数種類の製品を製造しておき、設定されるべき当該通路の長さ方向の長さ、片持梁部の幅、厚み等に適合したそれぞれの片持梁床板用型枠１０６をその中から選択して当該工事現場に搬入して、施工工事を行うものであり、然も、当該片持梁床板用型枠１０６は、上記した足場等の設置が困難か或はその設置にコストが掛かる様な場所で、当該作業に従事する作業員が当該橋桁１の当該支持頭部３に形成された当該平面部２の上で全ての作業を実行でき、当該橋桁１の端縁部よりも外側に出て作業する必要が無い様に設計されているので、転落の防止等、作業の安全性は確実に確保されると同時に作業が簡易化されているので工期が大幅に短縮され、然も高価な足場を設定したり解体したりする必要もないのでコストが大幅に低減することになる。
【産業上の利用可能性】
【００４１】
本発明に係る当該片持梁床板用型枠１０６は、橋梁によって提供されるあらゆる通路１０３の両側縁部に形成される片持梁床板構造の形成に利用する事が出来る。
【符号の説明】
【００４２】
１  …橋桁
２  …平面部
３  …支持頭部
４  …支持頭部の端部
５  …背面部
６  …仮想延長線
７  …片持梁床板用型枠端部
８  …片持梁床板用型枠
９  …空間部
１０  …主支持部材
１１  …壁部
１２  …固定基板部
１４  …係合固定手段
１５  …開口部
１６  …吊金具
１７  …たわみ防止金具
５３  …支保工
５５  …片持梁床板用型枠の底面部
５６  …段差部
７１  …幅方向の最外部
８１  …上部縁部
１００  …床板構造体
１０２  …橋梁
１０３  …通路
１０４  …通路の幅方向
１０５  …片持梁構造体
１０６  …片持梁床板用型枠
１１１  …庇部
１２２  …第１の固定基板部
１２３  …係合部材、アンカーボルト
１６０  …係合固定手段
１６１  …接合補助手段
２００  …支持部分
２０３  …屈折部
３００  …ブロック
４００  …擁壁部
４０１  …擁壁支持部材
４０２  …接合手段
【図１】
2010285811.tif 000003
【図２】
2010285811.tif 000004
【図３】
2010285811.tif 000005
【図４】
2010285811.tif 000006
【図５】
2010285811.tif 000007
【図６】
2010285811.tif 000008
【図７】
2010285811.tif 000009
【図８】
2010285811.tif 000010
【図９】
2010285811.tif 000011
【図１０】
2010285811.tif 000012
【図１１】
2010285811.tif 000013
【図１２】
2010285811.tif 000014